(57)【要約】　　　（修正有）【課題】カムの姿勢を復元するための構造を持った移動体通信端末用アンテナにおけるアンテナ切換装置を提供する。【解決手段】筐体から引き出して使用される棒状アンテナＷＡ、および筐体内のキャリアＣＲに取り付けられた内蔵アンテナを有し、棒状アンテナの収容時は内蔵アンテナが使用され、棒状アンテナを引き出す際に、内蔵アンテナから棒状アンテナに切り換えられるアンテナ切換装置において、弾性材により形成され、棒状アンテナが貫通する棒状アンテナ用穴を持った本体、この本体の表面に形成され前記切換スイッチの作動子が当接するカム面および本体部から延び出しキャリアと接触することにより姿勢の規制作用を受ける舌片を有し、棒状アンテナに嵌装され、棒状アンテナに沿って移動する切換スイッチの作動子に当接するカムＣＭをそなえたことを特徴とするアンテナ切換装置。【選択図】　図１
2004088652.tif 000002
【特許請求の範囲】
【請求項１】
常時は筐体に収容されており該筐体から引き出して使用される棒状アンテナ、および前記筐体内のキャリアに取り付けられた状態で使用される内蔵アンテナを有し、前記棒状アンテナの収容時は前記内蔵アンテナが使用され、前記棒状アンテナを引き出す際に前記棒状アンテナの近傍に設けられた切換スイッチが前記棒状アンテナに嵌装されたカムによって操作されることにより、前記内蔵アンテナから前記棒状アンテナに切り換えられる移動体通信端末用アンテナにおけるアンテナ切換装置において、
弾性材により形成され、前記棒状アンテナが貫通する棒状アンテナ用穴を持った本体、この本体の表面に形成され前記切換スイッチの作動子が当接するカム面および前記本体部から延び出し前記キャリアと接触することにより姿勢の規制作用を受ける舌片を有し、前記棒状アンテナに嵌装され該棒状アンテナに沿って移動する前記切換スイッチの作動子に当接するカムをそなえたことを特徴とする移動体通信端末用アンテナにおけるアンテナ切換装置。
【請求項２】
請求項１記載の移動体通信端末用アンテナにおけるアンテナ切換装置において、
前記カムは、弾性樹脂により形成されたことを特徴とする移動体通信端末用アンテナにおけるアンテナ切換装置。
【請求項３】
請求項１記載の移動体通信端末用アンテナにおけるアンテナ切換装置において、
前記カムは、前記棒状アンテナの引出し端側の一端面に斜めの部分が形成されており、この斜めの部分が前記切換スイッチの作動子に係合して該スイッチの切換動作を行わせるように構成された移動体通信端末用アンテナにおけるアンテナ切換装置。
【発明の詳細な説明】
【０００１】
【産業上の利用分野】
本発明は、移動体通信端末用アンテナにおけるアンテナ切換装置に係り、とくに棒状アンテナと内蔵アンテナとを有し、これら両アンテナを切換える機構に用いられるカムに関する。
【０００２】
【従来の技術】
従来、携帯情報端末の一例である携帯電話機では、棒状アンテナと内蔵アンテナとを切換使用しており、この切換を棒状アンテナの引出し、収納に応じて行っている。すなわち、図３（ａ），（ｂ）に示すように、携帯電話機の内部には、棒状アンテナＷＡ、回路基板ＰＢおよび内蔵アンテナＩＡを持ったキャリアＣＲが組み込まれている。そして、キャリアＣＲ（または回路基板ＰＢ）にはアンテナ切換のための切換スイッチＳＷが設けられ、棒状アンテナＷＡには切換スイッチの作動子を出没させるためのカムＣＭが設けられている。
【０００３】
棒状アンテナＷＡは、先端にアンテナトップＴＰが、基端にストッパＳＴが設けられており、中央部はチューブＴＵに収容されてガイドされながら引出しおよび収納がされる。そして、棒状アンテナＷＡは、ホルダＨＬに設けられた係合部（図示せず）によりキャリアＣＲに係合し、図示しない筐体内に保持される。
【０００４】
【発明が解決しようとする課題】
図４（ａ）は、図３における切換スイッチＳＷと棒状アンテナＷＡに装着されたカムＣＭとの動作上の関係を示すものである。すなわち、棒状アンテナＷＡを最大限に引き出すと、棒状アンテナＷＡの基端に設けられたストッパＳＴは、カムＣＭの図示右端面に当接し、図示左方向に押し出す。これにより、カムＣＭは図示左方向に押され、これに伴い図４に斜面で示したカム面が切換スイッチＳＷのカムフォロワＣＦを図示上方向に押上げていく。
【０００５】
カムフォロワＣＦは、常時、切換スイッチＳＷに内蔵されたバネによりカムフォロワＣＦに向って押し出す力Ｆを与えられている。そして、棒状アンテナＷＡが引き出されるときは、この引出し力がバネの力に打ち勝つので、カムフォロワＣＦを図示上方に押上げて内部のスイッチを切換動作させる。このようにカムＣＭは、棒状アンテナＷＡの引出し、収納に応じてホルダＨＬ内を図示左右方向に移動する。
【０００６】
このような移動を繰り返すうちに、カムとホルダあるいはカムフォロワとのガタツキが原因となって、図４（ｂ）に示すようにカムが初期位置に戻らなくなる、いわゆるスタック状態となることがある。
【０００７】
本発明は上述の点を考慮してなされたもので、カムの姿勢を復元するための構造を持った移動体通信端末用アンテナにおけるアンテナ切換装置を提供することを目的とする。
【０００８】
【課題を解決するための手段】
上記目的達成のため、本発明では、
常時は筐体に収容されており該筐体から引き出して使用される棒状アンテナ、および前記筐体内のキャリアに取り付けられた状態で使用される内蔵アンテナを有し、前記棒状アンテナの収容時は前記内蔵アンテナが使用され、前記棒状アンテナを引き出す際に前記棒状アンテナ近傍に設けられた切換スイッチが前記棒状アンテナに嵌装されたカムによって操作されることにより、前記内蔵アンテナから前記棒状アンテナに切り換えられる移動体通信端末用アンテナにおけるアンテナ切換装置において、弾性材により形成され、前記棒状アンテナが貫通する棒状アンテナ用穴を持った本体、この本体の表面に形成され前記切換スイッチの作動子が当接するカム面および前記本体部から延び出し前記キャリアと接触することにより姿勢の規制作用を受ける舌片を有し、前記棒状アンテナに嵌装され該棒状アンテナに沿って移動する前記切換スイッチの作動子に当接するカムをそなえたことを特徴とする移動体通信端末用アンテナにおけるアンテナ切換装置、
を提供するものである。
【０００９】
【発明の実施の形態】
図１は、本発明の一実施例におけるアンテナ切換装置のカム周りを断面図として示したものである。この図１は、棒状アンテナＷＡを一杯に引き出したときの、断面で示したホルダＨＬとストッパＳＴとの位置関係、およびストッパＳＴに係合したカムＣＭの断面を示している。
【００１０】
ホルダＨＬは、図示しない穴を有し、この穴に図示しないキャリアＣＲの突起が嵌入してキャリアと筐体とに挟持された状態で係止されている。そして、キャリアＣＲは、内周面に嵌装された内バネＳＰを介して棒状アンテナＷＡを支持している。この結果、棒状アンテナＷＡは、図示左右方向つまり携帯電話機の機内外を出没する。
【００１１】
この棒状アンテナＷＡの出没により、カムＣＭは図示のようにストッパＳＴにより図示左方向に規制されたり、その規制が解かれたりする。規制が解かれるとカムＣＭが有する舌片のバネ性復元力が働く範囲で図示右方向に移動し、常時の位置および常時の形状に戻る。
【００１２】
図１では、カムＣＭの図示右端から図示下方に延び出した舌片がキャリアＣＲに設けられた窪みに係合して弾性屈曲した状態となっている。そして、ストッパＳＴによるカムＣＭの規制が解かれると、カムＣＭの舌片自身の復元力により屈曲がなくなり、舌片は図示下方に垂直に伸びた常時の状態となる。
【００１３】
図２（ａ），（ｂ），（ｃ），（ｄ）は、図１に示したカムＣＭの正面図、左側面図、底面図および右側面図である。これらの図に示すように、カムＣＭは、正面形状が短冊状である本体１がやや中央から外れた位置に一端がテーパ状をなすアンテナ穴２を有し、このアンテナ穴２が設けられた側とは反対側端にアンテナ穴２の軸方向と直角方向に伸び出した、厚みが薄く狭幅の舌片３を有する。
【００１４】
そして、この舌片３の図２（ａ）における図示背後には、アンテナ穴２の軸方向と平行方向に伸び出したカム片４が設けられ、このカム片４の一側面にアンテナ穴２の軸方向に対して斜め方向をなすカム面５が形成されている。
【００１５】
そして、このカム面５に、切換スイッチＳＷの作動子であるカムフォロワＣＦが当接し、カムＣＭの移動に応じて切換スイッチＳＷに対して出没し、切換スイッチＳＷに切換動作を行わせる。切換スイッチＳＷは、棒状アンテナＷＡの近傍、たとえば回路基板とかキャリアに設けられている。
【００１６】
カムＣＭは、弾性材料、とくに樹脂により形成され、例えばＰＯＭ樹脂として知られるものが好適である。これにより、舌片３が十分に弾力に富んだ屈伸動作を行う。
【００１７】
このようなカムＣＭの機能により、カムＣＭは、切換スイッチＳＷを作動させる度に舌片３がカムＣＭに対して弾性復元力による姿勢復元作用を行い、また弾性変形に際しても一定の方向および大きさの力を作用させてガタツキ等に起因するスタック状態を防止することができる。
【００１８】
この弾性復元力および弾性変形に伴う力は、アンテナ穴の軸方向に作用する力とアンテナ穴を中心とする回転力とを含んでおり、これらの力がカムＣＭをスタックを起こすことなく円滑に移動させる。
【００１９】
（変形例）
上記実施例では、カムに単一の舌片を設けた構成としているが、これを複数の構成、ととえば舌片を端部が複数に分かれた構成とか、カムのアンテナ穴を中心にした反対側に寄った方向にもう一つ以上の舌片を設ける等の変形をしてもよい。
【００２０】
【発明の効果】
本発明は上述のように、アンテナ切換スイッチを作動させるカムに弾性変形する舌片を設けて、この舌片により生じる弾性復元力および弾性変形力を利用してカムの姿勢を規制するようにしたため、従来のこの種のカムが引き起こすようなスタック状態を未然に防止することができる。
【図面の簡単な説明】
【図１】本発明の一実施例の構成を示す説明図。
【図２】図２（ａ），（ｂ），（ｃ），（ｄ）は、図１に他の要素とともに示したカムＣＭの正面図、左側面図、底面図および右側面図。
【図３】図３（ａ），（ｂ）は、従来の携帯電話機に内蔵されるアンテナ、回路基板，キャリア等を示す左側面図および正面図。
【図４】図４（ａ），（ｂ）は、従来のカムとアンテナ切換スイッチとの動作上の関係を示す説明図。
【符号の説明】
ＣＲ　キャリア
ＷＡ　棒状アンテナ
ＳＴ　ストッパ
ＨＬ　ホルダ
ＳＰ　バネ
ＣＭ　カム
１　カム本体
２　アンテナ穴
３　舌片
４　カム片
５　カム面
【図１】
2004088652.tif 000003
【図２】
2004088652.tif 000004
【図３】
2004088652.tif 000005
【図４】
2004088652.tif 000006